(57)【要約】【課題】二軸延伸ブロー成形で製造されるブロー成形容器において、胴部の下部と底壁の周縁部とにより形成される脚部内部に隙間を形成することなく製造できるようにする。【解決手段】有底筒状に射出成型されたプリフォームを二軸延伸ブロー成形することにより製造されるブロー成形容器１０は、開口した口部１２と、口部１２の下方で口部１２より最外形が大きく形成された胴部１４と、中央部が周縁部よりも下方に凹んだ形状で胴部１４の底部を形成する底壁１６と、胴部１４の下部に筒状に形成され、その下端部が容器を自立支持する構成をなす脚部１８とを備える。底壁１６は胴部１４を構成する胴壁よりも厚く形成されるとともに中央部が周縁部よりも下方に凹んだ形状をなしている。また、脚部１８は、底壁１６の周縁部１７が胴部１４の下部内側に押し上げられて一体接合されて形成される。【選択図】図２
2016037313.tif 000002
【特許請求の範囲】
【請求項１】
有底筒状に射出成型されたプリフォームを二軸延伸ブロー成形することにより製造されるブロー成形容器であって、
開口した口部と、口部の下方で前記口部より最外形が大きく形成された胴部と、中央部が周縁部よりも下方に凹んだ形状で前記胴部の底部を形成する底壁と、前記胴部の下部に筒状に形成され、その下端部が容器を自立支持する構成をなす脚部とを備え、
前記底壁は前記胴部を構成する胴壁よりも厚く形成されるとともに中央部が周縁部よりも下方に凹んだ形状をなしており、
前記脚部は前記底壁の周縁部が内側に押し上げられて前記胴部の下部と一体接合されて形成される、
ブロー成形容器。
【請求項２】
請求項１に記載のブロー成形容器において、
前記胴壁の厚さをｔ１、前記底壁の厚さをｔ２、前記脚部の厚さをｔ３としたとき、ｔ１＜ｔ３＜（ｔ１＋ｔ２）の関係を満たす、ブロー成形容器。
【請求項３】
請求項１または２に記載のブロー成形容器において、
前記胴部の外周面には、前記胴部と前記底壁との境界部に対応する位置で容器内側へ凹設された溝が形成されている、ブロー成形容器。
【請求項４】
射出成形した有底筒状のプリフォームを開閉可能な一対の割型と昇降移動可能な底型とを用いて二軸延伸ブロー成形することにより製造されるブロー成形容器の製造方法であって、
前記プリフォームの口部周囲を保持するように前記一対の割型を閉じるとともに前記一対の割型内に形成されるキャビティの下部を前記底型で閉じる型閉じ工程と、
前記プリフォームの口部からエアを吹き込んでプリフォームを膨張させるエアブロー工程であって、前記一対の割型の内壁面により厚さｔ１の容器胴部を形成するとともに前記プリフォームの底部を前記底型の突出部の凹んだ上面に沿いかつ前記胴部の厚さｔ１より厚いｔ２の厚さを有する形状に形成する、エアブロー工程と、
前記一対の割型に対して前記底型を上昇移動させて前記プリフォームの底部を前記キャビティ内に押し上げることにより、前記プリフォームの底部の周縁部を前記容器胴部の下部内側に一体接合して前記容器の脚部を形成するとともに前記容器の底壁を形成する底型押上げ工程と、
前記一対の割型および前記底型を型開きして前記容器を取り出す取出し工程と、を含む、
ブロー成形容器の製造方法。
【発明の詳細な説明】
【技術分野】
【０００１】
本発明は、ブロー成形容器及びその製造方法に関する。
【背景技術】
【０００２】
従来、シャンプー、リンス、液体芳香剤、液体消臭剤等の液体を収容したプラスチック容器の口部にノズル付きポンプが装着されたものが知られている。このようなプラスチック容器では、ポンプから吸上げパイプが容器内部において下方に延び、そのパイプ先端が容器内の液体中に浸漬されている。この状態で、ポンプを指またはモータ等で操作することによって容器内の液体を吸上げパイプで吸引し、ポンプに設けられたノズルから液状のまま又は噴霧状に吐出できるようになっている。
【０００３】
上記のようなプラスチック容器は、ブロー成形によって好適に製造することができる。例えば、特許文献１，２には、ブロー成形によって製造することができるポンプ用の容器体が開示されている。このポンプ用の容器体は、ポンプが装着される口頸部と、口頸部の下部に連設されている筒状の胴部と、胴部の底を閉じる底壁とを備えている。この容器体の底壁は、容器内側において中央部へ向かって下り傾斜する形状に形成されている。これにより、底壁中央部にポンプの吸上げパイプの先端を位置させておくことで、残液なく液体を吸い上げることができると記載されている。
【０００４】
また、上記容器体の下部には、円環状の脚部が形成されている。容器体の底壁は、脚部の下端よりも上方に位置して上底状に形成されている。このように脚部が形成されていることで、容器体は自立することが可能になっている。
【０００５】
容器体の脚部は、容器体がブロー成形によって形成される際、胴部下端に膨らんで形成された底壁形成壁を底型で容器内側に押し込むことによって形成される。具体的には、底壁形成壁が押し上げられることによって、胴壁に形成された薄肉状のフランジ部で折れ曲がり、底壁形成壁の周縁部に位置する反転壁が胴壁の下部に重なった状態とされる。そして、底壁形成壁は、反転壁の上端に形成された薄肉状のフランジ部でも折れ曲がって、容器中央部に下り傾斜した底壁が形成される。
【先行技術文献】
【特許文献】
【０００６】
【特許文献１】特許第５４５４８４９号公報
【特許文献２】特許第５４５４８５１号公報
【発明の概要】
【発明が解決しようとする課題】
【０００７】
上記特許文献１に記載される容器体において、胴部の下部に形成された脚部は胴壁と底壁形成壁の周縁部とが折り重ねられて形成されるが、脚部を構成する２つの壁部間に隙間が形成されることが起こり得る。そうすると、容器に収容された液体がその隙間に入り込むことがある。この場合、その隙間に入り込んだ液体はポンプやスポイト等の吸上げ手段によって取り出すことができず、無駄になってしまうという問題がある。
【０００８】
また、容器が透明なプラスチック材料で形成される場合には、上記隙間に有色の収容液体が入り込んだ状態が外部から明らかに視認されるため、容器の見映えが悪くなるとともに、例えば少量でも高価な液体（例えば薬剤、試験液等）などを収容する容器には適さないという問題もある。
【０００９】
本発明の目的は、ブロー成形によって形成されるブロー成形容器において、胴部の下部と底壁の周縁部とが重なって形成される脚部内部に隙間を形成することなく製造できるようにすることである。
【課題を解決するための手段】
【００１０】
本発明の一態様であるブロー成形容器は、有底筒状に射出成型されたプリフォームを二軸延伸ブロー成形することにより成形されるブロー成形容器であって、開口した口部と、口部の下方で前記口部より最外形が大きく形成された胴部と、中央部が周縁部よりも下方に凹んだ形状で前記胴部の底部を形成する底壁と、前記胴部の下部に筒状に形成され、その下端部が容器を自立支持する構成をなす脚部とを備える。そして、前記底壁は前記胴部を構成する胴壁よりも厚く形成されるとともに中央部が周縁部よりも下方に凹んだ形状をなしており、前記脚部は前記底壁の周縁部が内側に折り返されて前記胴部の下部と一体接合されて形成される。
【００１１】
本発明に係るブロー成形容器において、前記胴壁の厚さをｔ１、前記底壁の厚さをｔ２、前記脚部の厚さをｔ３としたとき、ｔ１＜ｔ３＜（ｔ１＋ｔ２）の関係を満たすのが好ましい。
【００１２】
本発明に係るブロー成形容器において、前記胴部の外周面には、前記胴部と前記底壁との境界部に対応する位置で容器内側へ凹設された溝が形成されてもよい。
【００１３】
本発明の別の態様であるブロー成形容器の製造方法は、射出成形した有底筒状のプリフォームを開閉可能な一対の割型と昇降移動可能な底型とを用いて二軸延伸ブロー成形することにより製造されるブロー成形容器の製造方法であって、前記プリフォームの口部周囲を保持するように前記一対の割型を閉じるとともに前記一対の割型内に形成されるキャビティの下部を前記底型で閉じる型閉じ工程と、前記プリフォームの口部からエアを吹き込んでプリフォームを膨張させるエアブロー工程であって、前記一対の割型の内壁面により厚さｔ１の容器胴部を形成するとともに前記プリフォームの底部を前記底型の突出部の凹んだ上面に沿いかつ前記胴部の厚さｔ１より厚いｔ２の厚さを有する形状に形成する、エアブロー工程と、前記一対の割型に対して前記底型を上昇移動させて前記プリフォームの底部を前記キャビティ内に押し上げることにより、前記プリフォームの底部の周縁部を前記容器胴部の下部内側に一体接合して前記容器の脚部を形成するとともに前記容器の底壁を形成する底型押上げ工程と、前記一対の割型および前記底型を型開きして前記容器を取り出す取出し工程と、を含むものである。
【発明の効果】
【００１４】
本発明に係るブロー成形容器およびその製造方法によれば、胴部を形成する胴壁よりも厚く形成されている底壁の周縁部が容器内側に押し上げられることにより胴壁の下部と一体接合されて脚部が形成される。このような脚部の一体接合は、底壁を厚く形成してあるために高い熱量を保持して他の壁部に溶着等する状態で底壁押し込み動作が行われ、その結果、底壁の周縁部が胴壁に接合されることによって実現される。したがって、脚部の内部に隙間が形成されることがなく、容器に収容された液体が脚部内部に入り込むのを煩雑な工程を追加することなく確実に防止することができる。
【図面の簡単な説明】
【００１５】
【図１】本発明の一実施形態であるブロー成形容器にポンプを装着した状態を示す、ポンプ側面を含む断面図である。
【図２】（ａ）〜（ｄ）は二軸延伸ブロー成形容器の製造工程を示す概略図である。
【図３】（ａ）は図２の（ｂ）エアブロー時における容器中間体の下部を示す断面図であり、（ｂ）は図２の（ｃ）底型押上げ時における容器中間体の下部を示す断面図である。
【図４】容器の胴部外周面に溝を形成した変形例を示す図である。
【発明を実施するための形態】
【００１６】
以下に、本発明に係る実施形態について添付図面を参照しながら詳細に説明する。この説明において、具体的な形状、材料、数値、方向等は、本発明の理解を容易にするための例示であって、用途、目的、仕様等にあわせて適宜変更することができる。また、以下において複数の実施形態や変形例などが含まれる場合、それらの特徴部分を適宜に組み合わせて用いることは当初から想定されている。
【００１７】
図１は、本実施形態のブロー成形容器（以下、適宜に「容器」とだけいう）１０にポンプ２を装着した状態を示す図である。図１では、容器１０が断面で示され、ポンプ２が側面視で示されている。
【００１８】
容器１０は、二軸延伸ブロー成形によって形成される自立型の容器である。容器１０は、シャンプー、リンス、液体芳香剤、液体消臭剤等の液体が収容される用途に用いられる。
【００１９】
容器１０は、自立状態で上方へ向かって開口した口部１２と、口部１２の下方で口部１２よりも最外形が大きく形成された胴部１４と、胴部１４の下部に連設されて容器１０の底部を構成する底壁１６と、容器１０の胴部１４の下部に筒状に形成されるとともに底壁１６の周縁部が一体となって形成される脚部１８とを備える。
【００２０】
容器１０の口部１２の外周面には、図示しないネジ山またはネジ溝が形成されている。この口部１２の開口を閉じるようにしてポンプ２が口部１２の周囲に螺合して装着されている。ここで、口部の周囲にネジ山またはネジ溝が形成されることは必須ではなく、省略されてもよい。この場合、ポンプ２は嵌合、圧入等によって装着されてもよい。
【００２１】
ポンプ２は、上側に位置する押込み操作部３と、この押込み操作部３を上下移動可能に支持するポンプ本体部４とを含む。押込み操作部３は、通常は図示しない付勢部材によって上方に付勢されており、ポンプ本体部４内への押込み操作の後に図１に示す通常位置まで自動復帰するよう構成されている。
【００２２】
ポンプ２の押込み操作部３は、ノズル５を有する。また、ポンプ本体部４からは吸上げパイプ６が下方に延伸している。そして、吸上げパイプ６は、その下端部が底壁１６の内面に僅かな隙間を空けて対向するように配置されている。
【００２３】
このように構成されるポンプ２では、押込み操作部３をポンプ本体部４に対して押込み操作すると、吸上げパイプ６内に負圧が発生する。これにより、パイプ下端部から容器に収容されている液体が吸上げられる。そして、吸上げパイプ６を介して吸い上げられた液体は、押込み操作部３に設けられたノズル５から液体状のまま又は霧状に吐出されるように構成されている。
【００２４】
なお、本実施形態では、押込み操作によって液体が吐出されるポンプが装着される例に説明するが、これに限定されるものではない。レバーを引くことによって液体が吐出される等の他の手動式のポンプが容器１０に装着されてもよいし、あるいは、スイッチ操作によって駆動されるモータによって液体の吸上げ力および吐出力を得る電動式のポンプが容器１０に装着されてもよい。
【００２５】
容器１０は、熱可塑性樹脂によって好適に形成することができる。具体的には、容器１０の材料として、例えばＰＥＴ（ポリエチレンテレフタレート）が好適に用いられる。容器１０は、透明であって収容液体が外側から視認できるものであってもよいし、あるいは、半透明または不透明であってもよい。
【００２６】
容器１０の胴部１４は、口部１２の下方から傾斜した首部１３を介して拡径して、口部１２より最外形が大きく形成されている。胴部１４を形成する胴壁は、ほぼ一定の直径または幅をなして径方向と上下方向の二軸に延伸して形成されている。容器１０の胴部１４の形状は、有底筒状をなしていればよく、その横断面形状は円形、楕円形、角形（四角形以外の多角形を含む）等であってもよい。
【００２７】
容器１０の底壁１６は、中央部が周縁部よりも凹んだ形状に形成されている。本実施形態では底壁１６は、略半球状に形成される例が示されている。ただし、これに限定されるものではなく、例えば、中央部が平坦部をなし、この平坦部に向かって底壁が周辺部から下り傾斜した形状としてもよい。この場合、平坦部の周囲の底壁は、真っ直ぐに傾斜した面としてもよいし、容器内側へ凸状に湾曲した面としてもよい。このように底壁１６を中央部が凹んだ形状に形成することで、ポンプ２から延びる吸上げパイプ６の下端を底壁１６に中央部に対して若干の隙間を空けて対向配置することにより、容器１０に収容された液体をほぼ残すことなく、ポンプ２によって取り出すことができる。よって、液体の無駄がほぼなくなる。
【００２８】
容器１０の脚部１８は、胴部１４から下方に突出して、底壁１６の周囲を取り囲んだ円筒状に形成されている。脚部１８の下端は、底壁１６よりも下方に位置している。すなわち、底壁１６が上底状に形成されている。これにより、容器１０を載置台等の平面上に載置したとき、底壁１６が上記平面に接触することなく、脚部１８によって容器１０を自立支持する構成になっている。
【００２９】
図１の下側に、容器１０の脚部１８（Ａ部）の拡大断面が示される。容器１０の底壁１６の厚さｔ２は、胴部１４の厚さｔ１よりも厚く形成されている。ここで、底壁１６の厚さｔ２は、胴部１４の厚さｔ１の１倍超〜５倍程度、好ましくは１．５倍〜３倍程度にすると良い。底壁１６の厚さｔ２が胴部１４の厚さｔ１以下になると後述する脚部１８の一体接合が良好に行えない可能性があり、他方、底壁１６の厚さｔ２を厚くし過ぎると膨張成形時に径方向への延伸を阻害しやすくなるとともに硬化に時間が掛かって生産性が低下することになる。例えば、容器１０の胴部１４の厚さｔ１は１〜５ｍｍ程度、底壁１６の厚さｔ２は２〜６ｍｍ程度、脚部１８の厚さｔ３は２〜４ｍｍ程度とすることができる。１つの具体例として、高さ７０ｍｍで胴部径３５ｍｍの容器１０をＰＥＴ（ポリエチレンテレフタレート）を用いて胴部１４の厚さｔ１を２ｍｍ、底壁１６の厚さｔ２を４ｍｍ、脚部１８の厚さｔ３を３ｍｍに設定して製造したところ、隙間を含まず一体接合された脚部１８を有する容器１０を製造することができた。ただし、これらの寸法はあくまで例示であり、容器１０の材料、大きさ、形状等によって適宜に設定されるものである。
【００３０】
また、本実施形態では、脚部１８の厚さｔ３は、ｔ１＜ｔ３＜（ｔ１＋ｔ２）となる関係を満たすように設定されるのが好ましい。このように脚部１８の厚さｔ３が設定されていることで、後述するように二軸延伸ブロー成形によって容器１０が製造されるとき、脚部１８を構成する胴部１４の下部および底壁１６の周縁部が確実に一体接合されるようにできる。その詳細について、図２および図３を参照して次に説明する。
【００３１】
図２（ａ）〜（ｄ）はブロー成形容器の製造工程を示す概略図である。また、図３（ａ）は図２の（ｂ）エアブロー時における容器中間体の下部を示す断面図であり、図３（ｂ）は図２の（ｃ）底型押上げ時における容器中間体の下部を示す断面図である。
【００３２】
本実施形態の容器１０は、射出成形によって形成された有底筒状のプリフォームＰを二軸延伸ブロー成形することによって製造される。このブロー成形では、図２（ａ）に示すように、一対の割型２１ａ，２１ｂと、昇降移動可能に設けられる底型２２と、図示しない上型とを含む成形型２０が用いられる。
【００３３】
本実施形態において用いられるプリフォームＰは、射出成形によって略試験管のような有底筒状に形成される。そして、プリフォームＰの上部Ｐ１は、成形後に容器１０の口部１２となる部分であり、その外周面にネジ山またはネジ溝が射出成形時に形成される。
【００３４】
また、プリフォームＰの胴部Ｐ２の厚さおよび底部Ｐ３の厚さは、それぞれ、ブロー成形によってプリフォームＰが成形型２０のキャビティ２３内で容器軸方向に延伸するとともに容器径方向に膨張した後における容器１０の胴部１４の厚さｔ１および底壁１６の厚さｔ２となるように予め設定されている。なお、プリフォームＰの上部Ｐ１は、一対の割型２１ａ，２１ｂの上部で保持される部分になることからエアブロー時に変形しないため、その厚さは成形後の容器１０の口部１２と同等に設定される。
【００３５】
このように形成されたプリフォームＰは、射出成形直後であって樹脂材料が延伸および膨張可能な程度に高温（例えば、８５℃〜１３０℃）で軟らかい状態で、図２（ａ）に示すように、一対の割型２１ａ，２１ｂ間に配置される。そして、一対の割型２１ａ，２１ｂが互いに接近するように横移動するとともに底型２２が上昇移動して型閉じされ、成形空間であるキャビティ２３が形成される。このとき、プリフォームＰの上部外周に形成されたネジ山等が一対の割型２１ａ，２１ｂの上部にそれぞれ形成されたネジ山等に対応するネジ溝等に嵌合することによって、プリフォームＰが把持される。また、このように型閉じしたとき、成形型２０の上部は、図示しない上型によってエア吹き込み可能で且つ気密状に閉じられる。
【００３６】
型閉じされた一対の割型２１ａ，２１ｂ内にキャビティ２３を形成する内壁面は、容器１０の底部１６および脚部１８を除いて、容器１０の外形にほぼ等しい形状に形成されている。
【００３７】
底型２２には、型閉じした一対の割型２１ａ，２１ｂ間に配置される突出部２４を有している。この突出部２４の上面は、成形後の容器１０の底壁１６に対応する形状に形成されている。例えば、本実施形態では、突出部２４の上面が略半球状に凹んだすり鉢状に形成されている。そして、底型２２の突出部２４の側面には、円環状の段部２６が形成されている。図３（ａ）に示すように、底型２２の段部２６の水平方向の幅ｗは、後述するように底型２２の押上げにより形成される脚部１８の厚さｔ３に相当する。
【００３８】
続いて、図２（ｂ）に示すように、成形型２０の上型からプリフォームＰ内にエアが吹き込まれる。このときのエアブロー圧力は例えば、１．５Ｍｐａ〜３．０Ｍｐａ程度に設定される。これにより、プリフォームＰは、軸方向に延伸するとともに径方向に膨張するように変形し、キャビティ２３に内壁面に密着した状態となる。このときに容器１０の胴部１４の形状がほぼ形成される。
【００３９】
ただし、このとき底型２２は、完全に閉じていない第１の位置に設定されている。そのため、膨張変形したプリフォームＰの底部Ｐ３は、容器１０の胴部１４の下端より下方に位置して、底型２２の突出部２４の上面に沿った形状、すなわち、下方に凸状に湾曲した形状に形成されている。
【００４０】
このときのプリフォームＰの底部形状が図３（ａ）に示される。エアブローにより膨張したプリフォームＰの側壁は、容器１０の胴部１４に相当する厚さｔ１に既に形成されている。これに対し、プリフォームＰの底部Ｐ３はその後に押し上げられて容器１０の底壁１６を形成することになるが、胴部１４の厚さｔ１よりも厚いｔ２の厚さを有している。これにより、プリフォームＰの底部Ｐ３は、エアブローにより膨張変形した直後にも十分な熱量を保持して軟らかい状態にある。そのため、次に説明する押上げ工程で、底壁Ｐ３の周縁部１７が胴部１４の下部の内側に押し付けられたとき、胴部１４の下部と一体に接合可能になる。なお、プリフォームＰがエアブローによって容器径方向および軸方向に膨張したとき、底型２２の段部２６の上方には容器１０の脚部１８を形成するための円筒状の空間２８が形成されており、この段階でプリフォームＰを構成する樹脂材料が上記空間２８に入り込むことはない。
【００４１】
上記のようにエアブローが行われた直後（例えば０．０１〜１秒後）に、底型２２は、図２（ｂ）に示す第１の位置から図２（ｃ）に示す第２の位置まで上昇移動して、成形型２０を完全に閉じる。これにより、上記空間２８内に胴部１４の下部が入り込みながら、プリフォームＰの底部Ｐ３が底型２２の突出部２４によって押し上げられる。その結果、図３（ｂ）に示すように、底部Ｐ３の周縁部１７が胴部１４の下部の内側に押し付けられることになる。
【００４２】
このとき、プリフォームＰの底部Ｐ３は未だ十分な熱量を持って軟らかい状態にあるため、底部Ｐ３の周縁部１７は胴部１４の下部内側に溶着または融着して一体接合される。その結果、容器１０の脚部１８が内部に隙間を含まずに一体に形成される。
【００４３】
また、このとき脚部１８の厚さｔ３（すなわち底型２２の段部２６の水平方向幅ｗ）は、胴部１４の厚さｔ１と底壁１６の周縁部１７の厚さｔ２の和よりも小さく設定されている。そのため、上記の押上げ工程で底型２２が上昇移動したとき、上記脚部形成用の空間２８から余剰な樹脂材料が上方に押し出されることになる。その結果、図１中の下図に示すように、胴部１４と底壁１６との境界辺りに容器１０の内側へ向かって隆起した隆起部１９が形成される。これによって、胴部１４と底壁１６との間に下方へ尖ったくさび状の凹部が形成されにくくなる。したがって、容器１０に収容された液体が上記のようなくさび状の凹部に溜まることを抑制できる。よって、収容液体を無駄なく使用することが可能になる。また、透明容器の場合には、上記くさび状の凹部に液体が入り込んで残っているのが視認されるという不都合も解消できる。
【００４４】
このようにして脚部１８が形成されて樹脂が硬化した後に、図２（ｄ）に示すように、型開きされて容器１０が取り出される。
【００４５】
上述したように本実施形態によれば、二軸延伸ブロー成形によって形成されるブロー成形容器１０において、胴部１４の下部の内側に底壁１６の周縁部１７が押し付けられて接合されて成る脚部１８の内部に隙間を形成することなく製造できる。これにより、接合工程といった煩雑な作業工程を追加することなく、ブロー成形容器１０の脚部１８を一体接合した状態に形成することができる。したがって、容器１０に収容された液体が脚部１８の内部に入り込むのを防止することができる。
【００４６】
また、本実施形態の容器１０は、有底筒状のプリフォームＰを二軸延伸ブロー成形して形成されるため、無底円筒状のパリソンの下部を一対の割型で挟み切って容器底壁を形成するダイレクトブロー成形の場合のように容器内側で凹状をなし且つ径方向に延伸する接合溝線が底壁１６に形成されることがない。その結果、略すり鉢状に凹んだ底壁１６を綺麗に仕上げることができるとともに、底壁１６を含む容器底部分の落下強度を高くすることができる。
【００４７】
なお、本発明は上記の実施形態およびその変形例に限定されるものではなく、本願の特許請求の範囲に記載された事項およびそれと均等な範囲内において種々の変更や改良が可能である。
【００４８】
例えば、図４に示すように、容器１０の外周面上であって胴部１４と底壁１６との境界部に対応する位置に、環状の溝１５を凹設してもよい。この溝１５は、一対の割型２１ａ，２１ｂの内壁面に半円環状の突条をそれぞれ設けておくことによって転写形成することができる。これにより、胴部１４と底壁１６の境界部に形成される隆起部１９をより大きく形成することができ、その結果、上記境界部にくさび状の隙間が形成されるのをより確実に回避できる。
【００４９】
また、上記においては周縁部１７を含む底壁１６の厚さｔ２が一定であるように図示するが、これに限定されるものではない。例えば、周縁部１７が胴部１４の壁厚ｔ１よりも厚く形成されていればよく、底壁１６の中央部が周縁部１７よりも薄く形成されていてもよい。
【００５０】
さらに、上記のブロー成形ではエアのみで容器１０を延伸・膨張させる場合について説明したが、エアブロー時に上型を貫通して下方に延びるロッドでプリフォームＰの底部Ｐ３を押し下げるようにして延伸させてもよい。
【００５１】
さらにまた、上記においてはプリフォームを折り返して胴壁の下部と底壁の周縁部とを溶着により一体接合する場合について説明したが、本発明はこれに限定されるものではない。例えば、胴壁の下部と底壁の周縁部との間に収容液体が入り込む隙間を形成しないように接合されていればよく、例えば、溶着、融着、接着、圧接、当接等のうちの１つ又は複数の組合わせで接合されてもよい。
【符号の説明】
【００５２】
２  ポンプ、３  押込み操作部、４  ポンプ本体部、５  ノズル、６  吸上げパイプ、１０  ブロー成形容器、１２  口部、１３  首部、１４  胴部、１５  溝、１６  底壁、１７  周縁部、１８  脚部、１９  隆起部、２０  成形型、２１ａ，２１ｂ  一対の割型、２２  底型、２３  キャビティ、２４  突出部、２６  段部、２８  （脚部形成用の）空間、Ｐ  プリフォーム、Ｐ１  上部、Ｐ２  胴部、Ｐ３  底部、ｔ１，ｔ２，ｔ３  （厚さ。
【図１】
2016037313.tif 000003
【図２】
2016037313.tif 000004
【図３】
2016037313.tif 000005
【図４】
2016037313.tif 000006